(57)【要約】【課題】スライド式ファスナーを不用意にスライドさせても、また、スライド式ファスナーが緩んでも出入口から充填物が溢れ出ることのない枕を提供する。【解決手段】プラスチックで成型された粒体充填物又はプラスチックで成型された所要形状の中空体充填物を収納して枕とする袋体の縁周囲の一部位に形成された当該充填物の出入口に該出入口を塞ぐスライド式ファスナーを備えている枕において、前記出入口に前記ファスナー二本を並列に配置して該出入口を二重に塞ぐ構造となっていると共に、閉じたファスナーを開放する方向が内側に配置したファスナーと外側に配置したファスナーとで反対方向になっていて外側に配置したファスナーの開放終点位置に内側に配置したファスナーの開放始点が位置付けられている。【選択図】  図１
2005006690.tif 000002
【特許請求の範囲】
【請求項１】
プラスチックで成型された粒体充填物又はプラスチックで成型された所要形状の中空体充填物を収納して枕とする袋体の縁周囲の一部位に形成された当該充填物の出入口に該出入口を塞ぐスライド式ファスナーを備えている枕において、前記出入口に前記ファスナー二本を並列に配置して該出入口を二重に塞ぐ構造となっていると共に、閉じたファスナーを開放する方向が内側に配置したファスナーと外側に配置したファスナーとで反対方向になっていて外側に配置したファスナーの開放終点位置に内側に配置したファスナーの開放始点が位置付けられていることを特徴とする枕。
【請求項２】
プラスチックで成型された粒体充填物又はプラスチックで成型された所要形状の中空体充填物を収納して枕とする一層構造の長方形袋体の縁周囲の一部位に形成された当該充填物の出入口に該出入口を塞ぐスライド式ファスナーを備えている枕において、前記出入口に前記ファスナー二本を並列に配置して該出入口を二重に塞ぐ構造となっていると共に、閉じたファスナーを開放する方向が内側に配置したファスナーと外側に配置したファスナーとで反対方向になっていて外側に配置したファスナーの開放終点位置に内側に配置したファスナーの開放始点が位置付けられていることを特徴とする枕。
【請求項３】
充填物を収納して枕とする二層構造の長方形袋体の縁周囲の一部位に形成された当該充填物の出入口に該出入口を塞ぐスライド式ファスナーを備えていると共に一方の層における充填物の出入口と他方の層における充填物の出入口とが前記袋体の対称位置に形成されている枕において、前記袋体の少なくとも一方の層にプラスチックで成型された粒体充填物又はプラスチックで成型された所要形状の中空体充填物が収納されていて該充填物の出入口に前記ファスナー二本を並列に配置して該出入口を二重に塞ぐ構造となっていると共に、閉じたファスナーを開放する方向が内側に配置したファスナーと外側に配置したファスナーとで反対方向になっていて外側に配置したファスナーの開放終点位置に内側に配置したファスナーの開放始点が位置付けられていることを特徴とする枕。
【請求項４】
プラスチックで成型された粒体充填物又はプラスチックで成型された所要形状の中空体充填物を収納して枕とする二層構造の長方形袋体の縁周囲の一部位に形成された当該充填物の出入口に該出入口を塞ぐスライド式ファスナーを備えている枕において、前記袋体のいずれか一方の層が互いに異なる前記充填物を収納する複数の収納室に分割されていると共に該各収納室には該各収納室に通じる充填物の出入口がそれぞれ形成されていて該各収納室の内の一つの収納室に通じる充填物の出入口と他方の層における充填物の出入口とが前記袋体の対称位置に形成されており、前記各出入口にそれぞれ前記ファスナー二本を並列に配置して該各出入口を二重に塞ぐ構造となっていると共に、閉じたファスナーを開放する方向が内側に配置したファスナーと外側に配置したファスナーとで反対方向になっており、外側に配置したファスナーの開放終点位置に内側に配置したファスナーの開放始点が位置付けられていることを特徴とする枕。
【発明の詳細な説明】
【０００１】
【発明の属する技術分野】
本発明は、プラスチックで成型された粒体充填物又はプラスチックで成型された所要形状の中空体充填物を収納して枕とする袋体の縁周囲の一部位に形成された当該充填物の出入口に該出入口を塞ぐスライド式ファスナーが二本並列に配置されている枕に関するものである。
【０００２】
【従来の技術】
周知の通り、プラスチックで成型された粒体充填物又はプラスチックで成型された所要形状の中空体充填物を収納してなる枕が汎用されており（例えば、特許文献１参照）、当該枕の充填物出入口にはスライド式ファスナーが取り付けられている（例えば、特許文献２参照）。
【０００３】
【特許文献１】
実用新案登録第２５１６４４９号公報
【特許文献２】
実用新案登録第３０８７２８９号公報
【０００４】
【発明が解決しようとする課題】
前記従来の枕には、プラスチックで成型された粒体充填物又はプラスチックで成型された所要形状の中空体充填物の出入口に設けられたスライド式ファスナーを不用意にスライドさせて当該充填物の出入口を開けると該出入口から充填物が溢れ出るという問題点やファスナーが緩んだ場合においても少し開いた出入口から充填物が溢れ出るという問題点があった。
【０００５】
特に、デパートや量販店等の店頭では、顧客が枕に収納されている充填物に興味を持って不用意に充填物の出入口を開けることが多く、この場合、ビーズ状のプラスチックで成型された粒体充填物や中空の球状、中空のラクビーボール状、短筒（パイプ）状等のプラスチックで成型された所要形状の中空体充填物が床に飛散してしまいその処理に人手と時間を要すると共に売場が混乱するという問題点があった。
【０００６】
そこで、本発明者は、スライド式ファスナーを不用意にスライドさせて充填物の出入口を開けても、また、スライド式ファスナーが緩んでも、出入口から充填物が溢れ出ることのない枕を得ることを技術的課題として、その具現化をはかるべく研究・実験を重ねた。
【０００７】
通常、人間は一方の手でスライド式ファスナーの開放始点位置を持った後に他方の手でファスナーのスライダーを持って該スライダーをスライドさせる行動をとること、そして、枕が適度の重さを有している場合には、先ず、一方の手で持ったスライド式ファスナーの開放始点位置を手前に保持した状態でスライダーを手前から遠ざかる方向にスライドさせる行動をとることに着目し、二本のスライド式ファスナーを充填物の出入口の外側と内側とに並列に配置して該出入口を二重に塞ぎ、外側のファスナーの開放終点位置に内側のファスナーの開放始点を位置付けたところ、無意識に外側のファスナーの開放終点位置を一方の手で持ち替えて該開放終点位置を持ち上げた後、他方の手で内側のファスナーを手前に引く行動をとるという多数の被験者による実験結果を得、これにより、充填物の出入口が開いても充填物が溢れにくく、しかも、ファスナーは内側と外側に位置付けて二重に設けられているので、一方のファスナーが緩んでも出入口から充填物が溢れ出ることはないという刮目すべき知見を得、前記技術的課題を達成したものである。
【０００８】
【課題を解決するための手段】
前記技術的課題は、次の通りの本発明によって解決できる。
【０００９】
即ち、本発明に係る枕は、プラスチックで成型された粒体充填物又はプラスチックで成型された所要形状の中空体充填物を収納して枕とする袋体の縁周囲の一部位に形成された当該充填物の出入口に該出入口を塞ぐスライド式ファスナーを備えている枕において、前記出入口に前記ファスナー二本を並列に配置して該出入口を二重に塞ぐ構造となっていると共に、閉じたファスナーを開放する方向が内側に配置したファスナーと外側に配置したファスナーとで反対方向になっていて外側に配置したファスナーの開放終点位置に内側に配置したファスナーの開放始点が位置付けられているものである。
【００１０】
また、本発明に係る枕は、プラスチックで成型された粒体充填物又はプラスチックで成型された所要形状の中空体充填物を収納して枕とする一層構造の長方形袋体の縁周囲の一部位に形成された当該充填物の出入口に該出入口を塞ぐスライド式ファスナーを備えている枕において、前記出入口に前記ファスナー二本を並列に配置して該出入口を二重に塞ぐ構造となっていると共に、閉じたファスナーを開放する方向が内側に配置したファスナーと外側に配置したファスナーとで反対方向になっていて外側に配置したファスナーの開放終点位置に内側に配置したファスナーの開放始点が位置付けられているものである。
【００１１】
また、本発明に係る枕は、充填物を収納して枕とする二層構造の長方形袋体の縁周囲の一部位に形成された当該充填物の出入口に該出入口を塞ぐスライド式ファスナーを備えていると共に一方の層における充填物の出入口と他方の層における充填物の出入口とが前記袋体の対称位置に形成されている枕において、前記袋体の少なくとも一方の層にプラスチックで成型された粒体充填物又はプラスチックで成型された所要形状の中空体充填物が収納されていて該充填物の出入口に前記ファスナー二本を並列に配置して該出入口を二重に塞ぐ構造となっていると共に、閉じたファスナーを開放する方向が内側に配置したファスナーと外側に配置したファスナーとで反対方向になっていて外側に配置したファスナーの開放終点位置に内側に配置したファスナーの開放始点が位置付けられているものである。
【００１２】
さらに、本発明に係る枕は、プラスチックで成型された粒体充填物又はプラスチックで成型された所要形状の中空体充填物を収納して枕とする二層構造の長方形袋体の縁周囲の一部位に形成された当該充填物の出入口に該出入口を塞ぐスライド式ファスナーを備えている枕において、前記袋体のいずれか一方の層が互いに異なる前記充填物を収納する複数の収納室に分割されていると共に該各収納室には該各収納室に通じる充填物の出入口がそれぞれ形成されていて該各収納室の内の一つの収納室に通じる充填物の出入口と他方の層における充填物の出入口とが前記袋体の対称位置に形成されており、前記各出入口にそれぞれ前記ファスナー二本を並列に配置して該各出入口を二重に塞ぐ構造となっていると共に、閉じたファスナーを開放する方向が内側に配置したファスナーと外側に配置したファスナーとで反対方向になっていて外側に配置したファスナーの開放終点位置に内側に配置したファスナーの開放始点が位置付けられているものである。
【００１３】
【発明の実施の形態】
以下、本発明の実施の形態を図面に基づき説明する。
【００１４】
実施の形態１．
【００１５】
図１は本発明の実施の形態に係る枕の斜視図、図２は図１に図示する枕のＡ−Ａ線縦断面図、図３は図１に図示する枕のＢ−Ｂ線縦断面図、図４及び図５は図１に図示する枕における充填物の出入口を説明するスライド式ファスナーの斜視図、図６は図４に図示するスライド式ファスナーの一部省略斜視図であり、これらの図において、１はビーズ状発泡プラスチック充填物（プラスチックで成型された粒体充填物）２（図２及び図３参照）を収納した一層構造の長方形袋体３からなる枕であり、枕１の一方側短辺縁（縁周囲の一部位）４には充填物２の出入口５が形成されており、枕１の内部には、略中央にて上辺が凹状に窪んだ形状の帯状襠６，６が長方形袋体３の内部中央部において間隔を設けて長手方向に向かって平行に並べて立設されている。
【００１６】
そして、充填物２の出入口５には、図４及び図５に示すように、内側と外側とに並列に配置した二本のスライド式ファスナー７，８が設けられており、出入口５は当該二本のファスナー７，８によって二重に塞ぐ構造となっており、外側に配置したファスナー７の開放始点位置９に内側に配置したファスナー８の開放終点１０が位置付けられ、外側に配置したファスナー７の開放終点位置１１に内側に配置したファスナー８の開放始点１２が位置付けられており、閉じたファスナー７，８を開放する方向が内側に配置したファスナー８と外側に配置したファスナー７とで反対方向になっている。なお、１３はファスナー７，８のスライダー、１４はスライダー１３の摘まみである。
【００１７】
本実施の形態では、出入口５から充填物２を出し入れするために出入口５を開ける場合には、外側に配置したファスナー７の開放始点位置９にてスライダー１３の摘まみ１４を持って図４に示すようにスライダー１３をスライドさせてファスナー７のチャックを開け、さらに、ファスナー７の開放終点位置１１にある内側に配置したファスナー８のスライダー１３の摘まみ１４を持って図５に示すようにスライダー１３を開放始点１２から開放終点１０までスライドさせてファスナー８のチャックを開けることとなる。
【００１８】
従って、袋体３に充填物２を充填してなる枕１において、出入口５を開ける場合には、先ず、一方の手で外側に配置したファスナー７の開放始点位置９を持って当該一方の手で持ったファスナー７の開放始点位置９を手前に保持した状態で他方の手で外側に配置したファスナー７のスライダー１３を手前から遠ざかる方向である当該ファスナー７の開放終点位置１１までスライドさせてチャックを開け、次いで、ファスナー７の開放始点位置９を持っていた前記一方の手でファスナー７の開放終点位置１１を持ち上げ、当該開放終点位置１１に位置付けられた内側に配置したファスナー８のスライダー１３をファスナー７のスライダー１３を持った他方の手で持ち替えて、今度は内側に配置したファスナー８のスライダー１３を手前に引く動作をするので、開放される出入口５は持ち上げられた状態となって充填物２が出入口５から溢れにくい。しかも、ファスナーは二重に設けられているので、一方のファスナーが緩んでも出入口５から充填物２が溢れ出ることはない。
【００１９】
実施の形態２．
【００２０】
図７は本発明の実施の形態に係る枕の斜視図、図８は図７に図示する枕のＣ−Ｃ線縦断面図、図９は図７に図示する枕のＤ−Ｄ線縦断面図、図１０はプラスチックで成型された球状中空体充填物の斜視図であり、これらの図において、図１〜図６と同一符号は同一又は相当部分を示し、１５は二層構造の長方形袋体１６からなる枕であり、上層１６ａ  にはプラスチックで成型された球状中空体充填物（プラスチックで成型された所要形状の中空体充填物）１７が収納されており、下層１６ｂ  には上層１６ａ  の充填物１７とは異なる形状・硬度の充填物１８が収納されている（図８及び図９参照）。また、枕１５の一方側短辺縁（縁周囲の一部位）４の片方側には上層１６ａ  の充填物１７を出し入れする袋体１６の上層１６ａ  に通じる出入口５が形成され、枕１５の他方側短辺縁（縁周囲の一部位）１９には、下層１６ｂ  の充填物１８を出し入れする袋体１６の下層１６ｂ  に通じる出入口２０が形成され、出入口５から離れた位置の枕１５の一方側長辺縁（縁周囲の一部位）２１には上層１６ａ  の充填物１７を出し入れする袋体１６の上層１６ａ  に通じる出入口２２が形成されており、枕１５の上・下層内部には、略中央にて上辺が凹状に窪んだ形状の帯状襠２３，２３が長方形袋体１６の内部中央部において間隔を設けて長手方向に向かって平行で上下において対称に並べて立設されている。
【００２１】
そして、前記各出入口５，２０，２２には、二本のファスナー７，８が該各出入口５，２０，２２毎に、それぞれ、前記実施の形態１と同様に、内側と外側に位置付けられて並列に配置され、二重に塞ぐ構造に設けられている。なお、２４は長方形袋体１６を二層構造に形成する仕切布地である。
【００２２】
本実施の形態においても、閉じたファスナーを開放する方向が内側に配置したファスナー８と外側に配置したファスナー７とで反対方向になっており、外側に配置したファスナー７の開放終点位置１１に内側に配置したファスナー８の開放始点１２が位置付けられているので、前記実施の形態１と同様の作用・効果を奏することができる。
【００２３】
また、本実施の形態においては、出入口５と出入口２０とが袋体１６の対称位置に形成されているので、充填物１７，１８を入れやすい。
【００２４】
なお、前記充填物１８は、図１１に図示するプラスチックで成型された短筒状中空体充填物（プラスチックで成型された所要形状の中空体充填物）２５であってもよい。また、充填物１８として綿を使用した場合には該充填物１８の出入口２０に設けるスライド式ファスナーは一本でもよい。
【００２５】
実施の形態３．
【００２６】
本実施の形態は前記実施の形態２に係る枕１５の変形例であり、図１２は本発明の実施の形態に係る枕の斜視図である。なお、図１１はプラスチックで成型された短筒状中空体充填物の斜視図である。
【００２７】
図１２において、図１〜図９と同一符号は同一又は相当部分を示し、２６は二層構造の長方形袋体１６からなる枕であり、枕２６の上層（一方の層）１６ａ  は、略中央にて上辺が凹状に窪んだ形状の帯状襠２７を当該上層１６ａ  の短手方向を略三等分した片方の位置に位置づけて長手方向に向かって立設して上層１６ａ  を仕切ることにより、１／３充填物収納分室（収納室）２８と２／３充填物収納分室（収納室）２９とに分割されている。
【００２８】
そして、上層１６ａ  の１／３充填物収納分室２８にはビーズ状発泡プラスチック充填物２が収納され、上層１６ａ  の２／３充填物収納分室２９には図１０に図示する球状中空体充填物１７が収納され、下層（他方の層）１６ｂ  には図１１に図示する短筒状中空体充填物２５が収納されている。
【００２９】
また、枕２６の一方側短辺縁４の片方側には上層１６ａ  における２／３充填物収納分室（一つの収納室）２９の球状中空体充填物２３を出し入れする２／３充填物収納分室２９に通じる出入口５が形成され、枕２６の他方側短辺縁１９には、下層１６ｂ  の短筒状中空体充填物２５を出し入れする袋体１６の下層１６ｂ  に通じる出入口２０が形成され、出入口５から離れた位置の枕２６の一方側長辺縁２１には上層１６ａ  における１／３充填物収納分室２８のビーズ状発泡プラスチック充填物２を出し入れする１／３充填物収納分室２８に通じる出入口２２が形成されており、枕２６の上・下層内部には、前記実施の形態２と同様に、略中央にて上辺が凹状に窪んだ形状の帯状襠２３，２３が長方形袋体１６の内部中央部において間隔を設けて長手方向に向かって平行で上下において対称に並べて立設されており、袋体１６の上層１６ａ  を分割する前記帯状襠２７は枕２６の両側短辺縁４，１９まで達して立設されている。
【００３０】
そして、前記各出入口５，２０，２２には、二本のファスナー７，８が該各出入口５，２０，２２毎に、それぞれ、前記実施の形態１と同様に、内側と外側に位置付けられて並列に配置され、二重に塞ぐ構造に設けられており、図４及び図５に示すように、閉じたファスナーを開放する方向が内側に配置したファスナー８と外側に配置したファスナー７とで反対方向になっており、外側に配置したファスナー７の開放終点位置１１に内側に配置したファスナー８の開放始点１２が位置付けられている。
【００３１】
従って、本実施の形態においても前記実施の形態２と同様の作用・効果を奏すると共に、枕２６の位置によって当たりの異なる肌触りが得られる効果がある。
【００３２】
【実施例】
実施例１．
【００３３】
前記実施の形態１に係る枕１における実施例を図１〜図６を参照して説明する。
【００３４】
縦４６ｃｍ×横６６ｃｍのブロード地（綿１００  ％，２００  本ブロード）二枚と、中央部において２０ｃｍ長さ間が幅６ｃｍとなっている上辺凹状の幅８ｃｍ×長さ５５ｃｍの帯状襠６（ポリエステル６５％，綿３５％の布地）二本と、長さ３４ｃｍのプラスチック製スライド式ファスナー二本と、直径約１ｍｍのビーズ状発泡プラスチック充填物（小粒ビーズ：プラスチックで成型された粒体充填物）２を３００ｇと、内側のファスナー８を縫着する幅５ｃｍ，長さ４５ｃｍの繋地（ポリエステル６５％，綿３５％の布地）二枚（図４及び図５において、符号３０，３０にて示す。）を用意した。
【００３５】
先ず、前記二枚のブロード地を重ねて図１〜図６に図示する出入口５を形成するために一方側短辺縁４の中央幅３６ｃｍ残して縦横４３ｃｍ×６３ｃｍの袋体３を縫着すると共に、前記帯状襠６二本を内部中央部に間隔１５ｃｍを空けて同じ向きにして長手方向に向かって平行に縫着した。この際、縫い代を上下それぞれ１．５ｃｍ  とった。
【００３６】
次いで、袋体３の帯状襠６，６の窪みを外側に向け、続いて、図４及び図５に示すように、出入口５の両縁に長さ３４ｃｍのプラスチック製スライド式ファスナー７の片方ずつをそれぞれ縫うと共に、縫い代を５ｍｍ取った状態で長さ４５ｃｍの繋地３０，３０をそれぞれ縫い合わせた。さらに、該繋地３０，３０の他方側縁に長さ３４ｃｍのプラスチック製スライド式ファスナー８の片方ずつをそれぞれ縫って出入口５において内側と外側に位置付けて並列に二本配置して二重に塞ぐ構造とし、外側に配置したファスナー７の開放始点位置９に内側に配置したファスナー８の開放終点１０を位置付け、外側に配置したファスナー７の開放終点位置１１に内側に配置したファスナー８の開放始点１２を位置付け、閉じたファスナー７，８を開放する方向が内側に配置したファスナー８と外側に配置したファスナー７とで反対方向になるように縫着した。なお、繋地３０においては縫い代を上下それぞれ５ｍｍ，両側それぞれ１ｃｍとった。
【００３７】
この後、袋体３における出入口５のファスナー７，８を開けてビーズ状発泡プラスチック充填物（小粒ビーズ）２を３００ｇ充填して枕１を得た。
【００３８】
被験者に出入口５を開放させたところ、被験者は、出入口５を開ける際に、先ず、一方の手で外側に配置したファスナー７の開放始点位置９を持って当該一方の手で持ったファスナー７の開放始点位置９を手前に保持した状態で他方の手で外側に配置したファスナー７のスライダー１３を手前から遠ざかる方向である当該ファスナー７の開放終点位置１１までスライドさせてチャックを開け、次いで、ファスナー７の開放始点位置９を持っていた前記一方の手でファスナー７の開放終点位置１１を持ち上げ、当該開放終点位置１１に位置付けられた開放始点１２にある内側に配置したファスナー８のスライダー１３をファスナー７のスライダー１３を持った他方の手で持ち替え、今度は内側に配置したファスナー８のスライダー１３を手前に引く動作をした。その結果、ビーズ状発泡プラスチック充填物２は出入口５から溢れ出なかった。
【００３９】
実施例２．
【００４０】
前記実施の形態２に係る枕１５における実施例を図４〜図１１を参照して説明する。
【００４１】
縦４６ｃｍ×横６６ｃｍのメッシュ地（ポリエステル１００  ％，２ｍｍ角の網目織）一枚と、縦４６ｃｍ×横６６ｃｍのブロード地（綿１００  ％，２００  本ブロード）二枚（内、一枚は仕切布地２４）と、中央部において２０ｃｍ長さ間が幅３ｃｍとなっている幅５ｃｍ×長さ５５ｃｍの帯状襠２３（ポリエステル６５％，綿３５％の布地）四本と、長さ３４ｃｍのプラスチック製スライド式ファスナー二本、長さ２０ｃｍのプラスチック製スライド式ファスナー四本と、図１０に図示する直径１０ｍｍのポリエチレン製球状中空体充填物（コルビーズ：プラスチックで成型された所要形状の中空体充填物）１７を９００ｇと、図１１に図示する直径８ｍｍ，長さ８ｍｍのポリエチレン製パイプ状中空体充填物（ソフトパイプ：プラスチックで成型された所要形状の中空体充填物）２５を８００ｇと、内側のファスナー８を縫着する幅５ｃｍ，長さ４５ｃｍの繋地３０（ポリエステル６５％，綿３５％の布地）二枚及び幅５ｃｍ，長さ２４ｃｍの繋地３０（ポリエステル６５％，綿３５％の布地）四枚とを用意した。
【００４２】
先ず、前記二枚のブロード地を重ねて図７〜図９に図示する出入口５，２２を形成するために一方側短辺縁４の片側幅２０ｃｍ残し、一方側長辺縁２１の中央幅２０ｃｍ残して縦横４３ｃｍ×６３ｃｍの袋体１６の上層１６ａ  を縫着すると共に、前記帯状襠２３二本を内部中央部に間隔１５ｃｍを空けて同じ向きにして長手方向に向かって平行に縫着した。この際、縫い代を上下それぞれ１．５ｃｍ  とった。
【００４３】
次いで、前記メッシュ地を袋体１６の上層１６ａ  における仕切布地２４側に重ねて図７及び図９に図示する出入口２０を形成するために他方側短辺縁１９において幅３６ｃｍ残して縦横４３ｃｍ×６３ｃｍの袋体１６の下層１６ｂ  を縫着すると共に、前記帯状襠２３二本を内部中央部に間隔１５ｃｍを空けて同じ向きにして長手方向に向かって平行に縫着した。その際、縫い代を上下それぞれ１．５ｃｍ  とった。
【００４４】
続いて、袋体１６の上・下層１６ａ  ，１６ｂ  の帯状襠２３，２３の窪みを外側に向け、そして、図４及び図５に示すように、出入口５，２２においては、出入口５，２２の両縁に長さ２０ｃｍのプラスチック製スライド式ファスナー７の片方ずつをそれぞれ縫うと共に、縫い代を５ｍｍ取った状態で長さ２４ｃｍの繋地３０，３０をそれぞれ縫い合わせた。さらに、該繋地３０，３０の他方側縁に長さ２０ｃｍのプラスチック製スライド式ファスナー８の片方ずつをそれぞれ縫って出入口５，２２において内側と外側に位置付けて並列に二本配置して二重に塞ぐ構造とし、外側に配置したファスナー７の開放始点位置９に内側に配置したファスナー８の開放終点１０を位置付け、外側に配置したファスナー７の開放終点位置１１に内側に配置したファスナー８の開放始点１２を位置付け、閉じたファスナー７，８を開放する方向が内側に配置したファスナー８と外側に配置したファスナー７とで反対方向になるように縫着した。また、出入口２０においては、出入口２０の両縁に長さ３４ｃｍのプラスチック製スライド式ファスナー７の片方ずつを縫うと共に、縫い代を５ｍｍ取った状態で長さ４５ｃｍの繋地３０，３０をそれぞれ縫い合わせた。さらに、該繋地３０，３０の他方側縁に長さ３４ｃｍのプラスチック製スライド式ファスナー８の片方ずつを縫って出入口２０において内側と外側に位置付けて並列に二本配置して二重に塞ぐ構造とし、外側に配置したファスナー７の開放始点位置９に内側に配置したファスナー８の開放終点１０を位置付け、外側に配置したファスナー７の開放終点位置１１に内側に配置したファスナー８の開放始点１２を位置付け、閉じたファスナー７，８を開放する方向が内側に配置したファスナー８と外側に配置したファスナー７とで反対方向になるように縫着した。なお、各繋地３０においては縫い代を上下それぞれ５ｍｍ，両側それぞれ１ｃｍとった。
【００４５】
この後、袋体１６の上層１６ａ  における出入口５のファスナー７，８を開けてポリエチレン製球状中空体充填物（コルビーズ）１７を８００ｇ充填し、次いで、袋体１６の下層１６ｂ  における出入口２０のファスナー７，８を開けてポリエチレン製パイプ状中空体充填物（ソフトパイプ）２５を９００ｇ充填して枕１５を得た。
【００４６】
被験者に出入口５を開放させたところ、被験者は、出入口５を開ける際に、先ず、一方の手で外側に配置したファスナー７の開放始点位置９を持って当該一方の手で持ったファスナー７の開放始点位置９を手前に保持した状態で他方の手で外側に配置したファスナー７のスライダー１３を手前から遠ざかる方向である当該ファスナー７の開放終点位置１１までスライドさせてチャックを開け、次いで、ファスナー７の開放始点位置９を持っていた前記一方の手でファスナー７の開放終点位置１１を持ち上げ、当該開放終点位置１１に位置付けられた開放始点１２にある内側に配置したファスナー８のスライダー１３をファスナー７のスライダー１３を持った他方の手で持ち替え、今度は内側に配置したファスナー８のスライダー１３を手前に引く動作をした。その結果、充填物２は出入口５から溢れ出なかった。出入口２１，１９においても同様であった。
【００４７】
なお、前記袋体１６の上層１６ａ  にポリエステル１００  ％綿を充填して枕１５を形成した場合においても、袋体１６の下層１６ｂ  おける出入口２０を開ける場合には、前記と同様の作用・効果を奏した。
【００４８】
実施例３．
【００４９】
前記実施の形態３に係る枕２６における実施例を図４〜図６及び図１０〜図１２を参照して説明する。
【００５０】
縦４６ｃｍ×横６６ｃｍのメッシュ地（ポリエステル１００  ％，２ｍｍ角の網目織）一枚と、縦４６ｃｍ×横６６ｃｍのブロード地（綿１００  ％，２００  本ブロード）二枚（内、一枚は仕切布地２４）と、中央部において２０ｃｍ長さ間が幅３ｃｍとなっている幅５ｃｍ×長さ５５ｃｍの帯状襠２３（ポリエステル６５％，綿３５％の布地）三本及び幅５ｃｍ×長さ５９ｃｍの帯状襠２７（ポリエステル６５％，綿３５％の布地）一本と、長さ３４ｃｍのプラスチック製スライド式ファスナー二本、長さ２０ｃｍのプラスチック製スライド式ファスナー四本、直径６ｍｍの木製ヒノキの八角形充填物１８を７００ｇと、図１０に図示する直径１０ｍｍのポリエチレン製球状中空体充填物（コルビーズ：プラスチックで成型された所要形状の中空体充填物）１７を９００ｇと、図１１に図示する直径８ｍｍ，長さ８ｍｍのポリエチレン製パイプ状中空体充填物（ソフトパイプ：プラスチックで成型された所要形状の中空体充填物）２５を５５０ｇと、内側のファスナー８を縫着する幅５ｃｍ，長さ４５ｃｍの繋地３０（ポリエステル６５％，綿３５％の布地）二枚及び幅５ｃｍ，長さ２４ｃｍの繋地３０（ポリエステル６５％，綿３５％の布地）四枚とを用意した。
【００５１】
先ず、前記二枚のブロード地を重ねて図１２に図示する出入口５，２２を形成するために一方側短辺縁４の片側幅２０ｃｍ残し、一方側長辺縁２１の中央幅２０ｃｍ残して縦横４３ｃｍ×６３ｃｍの袋体１６の上層１６ａ  を縫着すると共に、前記帯状襠２７を当該上層１６ａ  の短手方向を略三等分した片側幅約１４ｃｍと同じ位置に位置付けて長手方向に向かって両側短辺縁４，１９まで縫着して両端側は縫着せずに残した。前記帯状襠２３の一本を上層１６ａ  における略三等分した残り片側位置にて長手方向に向かって縫着した。この際、縫い代を上下それぞれ１．５ｃｍ  とった。これにより、枕２６の上層１６ａ  を該上層１６ａ  の短手方向を略三等分した位置で長手方向に前記帯状襠２７で仕切られた１／３充填物収納分室２８と略中央で長手方向に前記帯状襠２３が走っている２／３充填物収納分室２９とに分割した。
【００５２】
次いで、前記メッシュ地を袋体１６の上層１６ａ  における仕切布地２４側に重ねて図１２に図示する出入口２０を形成するために他方側短辺縁１９において幅３６ｃｍ残して縦横４３ｃｍ×６３ｃｍの袋体１６の下層１６ｂ  を縫着すると共に、前記帯状襠２３二本を内部中央部に間隔約１４ｃｍを空けて同じ向きにして長手方向に向かって平行に縫着した。その際、縫い代を上下それぞれ１．５ｃｍ  とった。
【００５３】
続いて、袋体１６の上・下層１６ａ  ，１６ｂ  の帯状襠２３，２３，２７の窪みを外側に向け、１／３充填物収納分室２８に通じる出入口２２においては、図４及び図５に示すように、出入口２２の両縁に長さ２０ｃｍのプラスチック製スライド式ファスナー７の片方ずつをそれぞれ縫うと共に、縫い代を５ｍｍ取った状態で長さ２４ｃｍの繋地３０，３０をそれぞれ縫い合わせた。さらに、該繋地３０，３０の他方側縁に長さ２０ｃｍのプラスチック製スライド式ファスナー８の片方ずつをそれぞれ縫って出入口２２において内側と外側に位置付けて並列に二本配置して二重に塞ぐ構造とし、外側に配置したファスナー７の開放始点位置９に内側に配置したファスナー８の開放終点１０を位置付け、外側に配置したファスナー７の開放終点位置１１に内側に配置したファスナー８の開放始点１２を位置付け、閉じたファスナー７，８を開放する方向が内側に配置したファスナー８と外側に配置したファスナー７とで反対方向になるように縫着した。また、２／３充填物収納分室２９に通じる出入口５においては、出入口５の両縁に長さ２０ｃｍのプラスチック製スライド式ファスナー７の片方ずつを縫うと共に、縫い代を５ｍｍ取った状態で長さ２４ｃｍの繋地３０，３０をそれぞれ縫い合わせた。さらに、該繋地３０，３０の他方側縁を長さ２０ｃｍのプラスチック製スライド式ファスナー８を片方ずつを縫って出入口５において内側と外側に位置付けて並列に二本配置して二重に塞ぐ構造とし、外側に配置したファスナー７の開放始点位置９に内側に配置したファスナー８の開放終点１０を位置付け、外側に配置したファスナー７の開放終点位置１１に内側に配置したファスナー８の開放始点１２を位置付け、閉じたファスナー７，８を開放する方向が内側に配置したファスナー８と外側に配置したファスナー７とで反対方向になるように縫着した。また、袋体１６の下層１６ｂ  に通じる出入口２０においては、出入口２０の両縁に長さ３４ｃｍのプラスチック製スライド式ファスナー７の片方ずつを縫うと共に、縫い代を５ｍｍ取った状態で長さ４５ｃｍの繋地３０，３０をそれぞれ縫い合わせた。さらに、該繋地３０，３０の他方側縁に長さ３４ｃｍのプラスチック製スライド式ファスナー８の片方ずつを縫って出入口２０において内側と外側に位置付けて並列に二本配置して二重に塞ぐ構造とし、外側に配置したファスナー７の開放始点位置９に内側に配置したファスナー８の開放終点１０を位置付け、外側に配置したファスナー７の開放終点位置１１に内側に配置したファスナー８の開放始点１２を位置付け、閉じたファスナー７，８を開放する方向が内側に配置したファスナー８と外側に配置したファスナー７とで反対方向になるように縫着した。なお、各繋地３０においては縫い代を上下それぞれ５ｍｍ，両側それぞれ１ｃｍとった。
【００５４】
この後、袋体１６の上層１６ａ  における出入口２２のファスナー７，８を開けてポリエチレン製パイプ状中空体充填物（ソフトパイプ）２５を１／３充填物収納分室２８に５５０ｇ充填し、次いで、袋体１６の上層１６ａ  における出入口５のファスナー７，８を開けて木製ヒノキの八角形充填物１８を２／３充填物収納分室２９に７００ｇ充填し、次いで、袋体１６の下層１６ｂ  における出入口２０のファスナー７，８を開けてポリエチレン製球状中空体充填物（コルビーズ）１７を９００ｇ充填して枕２６を得た。
【００５５】
本実施例では前記実施例２と同様の作用・効果を奏すると共に、枕２６の位置によって当たりの異なる肌触りが得られる効果があった。
【００５６】
【発明の効果】
本発明によれば、スライド式ファスナーを不用意にスライドさせて充填物の出入口が開いても、また、スライド式ファスナーが緩んで内側と外側とのいずれか一方のファスナーが開放しても出入口から充填物が溢れ出ることのない枕を提供することができる。
【００５７】
従って、本発明の産業上利用性は非常に高いといえる。
【図面の簡単な説明】
【図１】本発明の実施の形態に係る枕の斜視図である。
【図２】図１に図示する枕のＡ−Ａ線縦断面図である。
【図３】図１に図示する枕のＢ−Ｂ線縦断面図である。
【図４】図１に図示する枕における充填物の出入口を説明するスライド式ファスナーの斜視図である。
【図５】図１に図示する枕における充填物の出入口を説明するスライド式ファスナーの斜視図である。
【図６】図４に図示するスライド式ファスナーの一部省略斜視図である。
【図７】本発明の実施の形態に係る枕の斜視図である。
【図８】図７に図示する枕のＣ−Ｃ線縦断面図である。
【図９】図７に図示する枕のＤ−Ｄ線縦断面図である。
【図１０】プラスチックで成型された球状中空体充填物の斜視図である。
【図１１】プラスチックで成型された短筒状中空体充填物の斜視図である。
【図１２】本発明の実施の形態に係る枕の斜視図である。
【符号の説明】
１，１５，２６  枕
２，１７，１８，２５  充填物
３，１６  袋体
４  一方側短辺縁
５，２０，２２  出入口
６，２３，２７  帯状襠
７  外側に配置したスライド式ファスナー
８  内側に配置したスライド式ファスナー
９  開放始点位置
１０  開放終点
１１  開放終点位置
１２  開放始点
１３  スライダー
１４  摘まみ
１９  他方側短辺縁
２１  一方側長辺縁
２４  仕切布地
２８  １／３充填物収納分室
２９  ２／３充填物収納分室
３０  繋地
【図１】
2005006690.tif 000003
【図２】
2005006690.tif 000004
【図３】
2005006690.tif 000005
【図４】
2005006690.tif 000006
【図５】
2005006690.tif 000007
【図６】
2005006690.tif 000008
【図７】
2005006690.tif 000009
【図８】
2005006690.tif 000010
【図９】
2005006690.tif 000011
【図１０】
2005006690.tif 000012
【図１１】
2005006690.tif 000013
【図１２】
2005006690.tif 000014